(57)【特許請求の範囲】
【請求項１】
正面視横長矩形状をした一対の挟持片がそれらの上縁部どうしで開閉回動可能に連結され、閉状態とした上記一対の挟持片間に、多数のモップ糸をそれらの基端部で結束してなるモップ材をその結束部において挟持するモップヘッドであって、
上記多数のモップ糸を、それらの基端部付近において上記モップヘッドの厚み方向両側に強制振り分けするためのモップ糸受け部材が付属させられており、
上記一対の挟持片の長手方向の両端部には、一方の挟持片の内面から他方の挟持片の内面に向けて延出する連結棒と、この連結棒の先端を受容連結して一対の挟持片の閉状態を維持するように他方の挟持片の内面に形成された連結孔とがそれぞれ設けられており、
上記モップ糸受け部材は、所定厚みをもって長手方向に延びる棒状糸受け部と、この棒状糸受け部の両端部に形成された一対のフック部とを備えており、当該一対のフック部が上記一対の挟持片の長手方向両端部に位置する上記連結棒に係合することにより付属させられていることを特徴とする、モップヘッド。
【請求項２】
上記一対の挟持片には、上記長手方向の両端部における上記連結棒を含め、複数の連結棒が上記一方の挟持片の内面から上記他方の挟持片の内面に向けて延出するように形成されているとともに、上記他方の挟持片の内面には、上記複数の連結棒の先端をそれぞれ受容連結して上記一対の挟持片の閉状態を維持する複数の連結孔が形成されている一方、
上記モップ糸受け部材の上記棒状糸受け部は、直線状の上縁を有するように形成されているとともに、上記フック部は、上記直線状の上縁よりも上位において上記連結棒に係合しうるように形成されている、請求項１に記載のモップヘッド。
【請求項３】
上記棒状糸受け部は、上記長手方向の両端に近づくにつれて上下方向の幅が狭くなっており、上記モップ糸受け部材を上記一対の挟持片に取り付けた際に、その下端縁が上記一対の挟持片の下端縁よりも下方に突出するように形成されている、請求項２に記載のモップヘッド。
【請求項４】
上記一対の挟持片の長手方向の両端部には、上記一対の挟持片の閉状態において、上記多数のモップ糸の一部を上記一対の挟持片の長手方向外方に突出させるための切り欠きが形成されている、請求項１ないし３のいずれかに記載のモップヘッド。
【発明の詳細な説明】
【技術分野】
【０００１】
本発明は、たとえば床面の清掃に用いられるモップにおいて、モップ材を保持するモップヘッドに関する。
【背景技術】
【０００２】
従来では、モップ材を保持するモップヘッドとして、たとえば特許文献１に記載されているようなモップヘッドが用いられていた。図６には、このようなモップヘッドの正面図を示しており、図７には図６のVII-VII線に沿う断面図を示している。図６および図７に示すように、モップヘッドＸは、正面視横長矩形状であり厚み方向に向かい合い、連結部９３において開閉回動可能に連結された一対の挟持片９１，９２を備えている。一方の挟持片９１は、側面部９１ａ、および、この側面部９１ａの上端から内方に向けて突出する上面部９１ｂを備えている。側面部９１ａには、その厚み方向に貫通する連結孔９１１が一列に並んで８個形成されている。８個の連結孔９１１は、それぞれ側面部９１ａの下端寄りの位置に形成されている。他方の挟持片９２は、側面部９２ａ、および、この側面部９２ａの上端から内方に突出する上面部９２ｂを備えている。これら一対の挟持片９１，９２は、それらの上面部９１ｂ，９２ｂの内端縁どうしが連結部９３によって連結されることにより、開閉回動可能に連結されている。上記他方の挟持片９２の側面部９２ａの内面には、上記一方の挟持片９１の側面部９１ａに設けた８個の連結孔９１１に向かって延びる８本の連結棒９２１が形成されている。各連結棒９２１の先端部９２１ａを各連結孔９１１に嵌合させることによって、一対の挟持片９１，９２を閉状態とし、それらの側面部９１ａ，９２ａの厚み方向における間隔を固定することができる。モップ材Ｂは、その上縁部が上記のように閉状態とした挟持片９１，９２の間に挟み込まれることにより、モップヘッドＸに保持される。
【０００３】
モップ材Ｂは、多数のモップ糸５１と、それらを中間部において束ねる結束布５２とを備えて構成され、結束布５２による結束部５３を基端部として、この基端部から多数のモップ糸が延出するような形態を持っている。このモップ材Ｂは、結束部５３を開状態の挟持片９１，９２の間に挟み、その後に挟持片９１，９２を閉状態とすることによって、モップヘッドＸに保持される。このようにモップヘッドＸに保持され、かつ水濡れさせたモップ材Ｂで床面を擦る操作をすることにより、床面の拭き掃除を行うことができる。
【０００４】
しかしながら、このようなモップヘッドＸに保持されたモップ材Ｂを用いて床面の拭き掃除を行うと、モップヘッドＸが床、壁あるいは家具などにぶつかり、それが原因で床、壁あるいは家具などを傷つけたり、モップヘッドＸが損傷することがあった。さらに、モップヘッドＸが床、壁あるいは家具などにぶつかる際の衝撃や衝突音は、使用者にとって不快なものであり、作業効率の低下を招く一因となっていた。
【０００５】
【特許文献１】実開昭５２−３７８５７号公報
【発明の開示】
【発明が解決しようとする課題】
【０００６】
本発明は、上記した事情のもとで考え出されたものであって、床、壁あるいは家具などに直接ぶつかりにくく、これにともなって、損傷を受けにくく、かつ、使用者が快適に使用することができるモップヘッドを提供することを課題とする。
【課題を解決するための手段】
【０００７】
本発明によって提供されるモップヘッドは、正面視横長矩形状をした一対の挟持片がそれらの上縁部どうしで開閉回動可能に連結され、閉状態とした上記一対の挟持片間に、多数のモップ糸をそれらの基端部で結束してなるモップ材をその結束部において挟持するモップヘッドであって、上記多数のモップ糸を、それらの基端部付近において上記モップヘッドの厚み方向両側に強制振り分けするためのモップ糸受け部材が付属させられており、上記一対の挟持片の長手方向の両端部には、一方の挟持片の内面から他方の挟持片の内面に向けて延出する連結棒と、この連結棒の先端を受容連結して一対の挟持片の閉状態を維持するように他方の挟持片の内面に形成された連結孔とがそれぞれ設けられており、上記モップ糸受け部材は、所定厚みをもって長手方向に延びる棒状糸受け部と、この棒状糸受け部の両端部に形成された一対のフック部とを備えており、当該一対のフック部が上記一対の挟持片の長手方向両端部に位置する上記連結棒に係合することにより付属させられていることを特徴とする。
【０００８】
このような構成によれば、上記多数のモップ糸がその基端部近傍において上記モップヘッドの厚み方向両側に強制的に振り分けられているため、上記多数のモップ糸は、その一部が上記モップヘッドにおける上記一対の挟持片の外側に膨出させられる。このため、上記モップヘッドを用いて清掃を行う際に、上記一対の挟持片が床や壁などにぶつかるより先に上記多数のモップ糸の一部が床や壁に接触する。したがって、上記モップヘッドは、損傷を受けにくくなっており、同時に床、壁あるいは家具などを傷つけにくくなる。さらに、上記モップヘッドの使用者は、上記モップヘッドを床、壁あるいは家具などにぶつけてしまった際にも不測の衝撃や衝突音に悩まされることがないため、快適に清掃を行うことができる。
【０００９】
また、このような構成によれば、上記モップ糸受け部材は、上記連結棒に上記フック部を引っ掛けることによって容易に上記一対の挟持片に取り付けることができる。
【００１０】
さらに好ましい実施の形態においては、上記一対の挟持片には、上記長手方向の両端部における上記連結棒を含め、複数の連結棒が上記一方の挟持片の内面から上記他方の挟持片の内面に向けて延出するように形成されているとともに、上記他方の挟持片の内面には、上記複数の連結棒の先端をそれぞれ受容連結して上記一対の挟持片の閉状態を維持する複数の連結孔が形成されている一方、上記モップ糸受け部材の上記棒状糸受け部は、直線状の上縁を有するように形成されているとともに、上記フック部は、上記直線状の上縁よりも上位において上記連結棒に係合しうるように形成されている。このような構成によると、上記一対の挟持片どうしが複数の位置で連結されるため、上記一対の挟持片どうしは強固に閉状態を維持することができる。
【００１１】
より好ましい実施の形態においては、上記棒状糸受け部は、上記長手方向の両端に近づくにつれて上下方向の幅が狭くなっており、上記モップ糸受け部材を上記一対の挟持片に取り付けた際に、その下端縁が上記一対の挟持片の下端縁よりも下方に突出するように形成されている。このような構成によれば、上記モップ糸受け部材の長手方向両端が、床、壁あるいは家具などにぶつかりにくくなっている。さらに、上記モップヘッドを床に押し付けた場合に、上記一対の挟持片よりも上記棒状糸受け部が床側にあるため、上記一対の挟持片が床にあたりにくくなっている。
【００１２】
さらにまた、好ましい実施の形態においては、上記一対の挟持片の長手方向の両端部には、上記一対の挟持片の閉状態において、上記多数のモップ糸の一部を上記一対の挟持片の長手方向外方に突出させるための切り欠きが形成されている。このような構成によると、上記一対の挟持片の長手方向の両端および上記モップ糸受け部材のフック部も、床、壁あるいは家具などに直接ぶつかりにくくなる。
【００１３】
本発明のその他の特徴および利点は、添付図面を参照して以下に行う詳細な説明によって、より明らかとなろう。
【発明を実施するための最良の形態】
【００１４】
図１には、本発明に係るモップヘッドの実施形態の一例を正面図で示している。図２には、図１のII-II線に沿う断面図を、図３には、図１のIII-III線に沿う断面図を、それぞれ示している。図４には、図１に示すモップヘッドＡの分解図を示している。図５には、図１に示すモップヘッドＡにモップ材Ｂを取り付ける前の状態を断面図で示している。
【００１５】
モップヘッドＡは、たとえば合成樹脂によって形成されており、一対の挟持片１，２、連結部３、および、モップ糸受け部材４を備えている。このモップヘッドＡは、モップ材Ｂを保持し、柄体Ｃに連結されて用いられる。なお、図２において一対の挟持片１，２が向かい合う方向を、モップヘッドＡの厚み方向とし、一対の挟持片１，２に挟まれる領域をモップヘッドＡの内側とする。また、図４では挟持片１の一部を省略し、挟持片２が見えるように示している。
【００１６】
柄体Ｃは、図３および図４に示すように、上方に向かって延びる把持部６１と、把持部６１の下端に連結された一対の接合部材６２，６３を備えている。一対の接合部材６２，６３は、所定幅を隔てて互いに向かい合う板状部材であり、互いに向かい合う面に凸部６２ａ，６３ａを備えている。また、一対の接合部材６２，６３はたとえばバネによって互いに接近するように力が加えられている。
【００１７】
一方の挟持片１は、正面視横長矩形状の側面部１ａ、この側面部１ａの上端から厚み方向内方に延びる上面部１ｂ、および、側面部１ａの長手方向両端から厚み方向に延びる端面部１ｃを備えている。側面部１ａには、厚み方向に貫通する８個の連結孔１１と、内面から他方の挟持片２に向かって突出する５個の突起片１２と、外面において接合部材６２が嵌まり込む凹部１３が形成されている。端面部１ｃの下方には、側面部１ａの長手方向端部の下端から上方に退避するようにして切り欠き１４が形成されている。
【００１８】
他方の挟持片２は、正面視横長矩形状の側面部２ａ、この側面部２ａの上端から厚み方向内方に延びる上面部２ｂ、および、側面部２ａの長手方向両端から厚み方向に延びる端面部２ｃを備えている。側面部２ａの内面には、上記一方の挟持片１に設けた各連結孔１１へ向けて延びる８本の連結棒２１と、内方に向かって突出する５個の突起片２２と、外面において接合部材６３が嵌まり込む凹部２３が形成されている。端面部２ｃの下方には、側面部２ａの長手方向端部の下端から上方に退避するようにして切り欠き２４が形成されている。
【００１９】
８個の連結孔１１は、図１に示すように、側面部１ａの下端寄りに、モップヘッドＡの長手方向に沿って一列に並ぶように形成されている。図２に示すように、各連結孔１１は、側面部１ａに設けた膨出部を貫通するようにして形成されている。
【００２０】
各連結棒２１は、側面部２ａの内面側から各連結孔１１へ向けて延びており、各連結棒２１の先端部２１ａが各連結孔１１に嵌合するように形成されている。各連結棒２１は、各連結孔１１の形状に合わせて、その先端部２１ａ付近でくびれている。このため、各連結棒２１の先端部２１ａを一度各連結孔１１に嵌め込むと容易に外れないようになっている。
【００２１】
各突起片１２は、側面部１ａの中央付近の内面に、モップヘッドＡの長手方向に沿って一列に並ぶように形成されている。図３に示すように、各突起片１２は、側面部１ａの内面側から、厚み方向に沿って突出する円錐状に形成されている。各突起片１２の長さは、挟持片１，２の閉状態における厚み方向の間隔の約３分の１程度である。各突起片２２は、各突起片１２と向き合うように、側面部２ａの内面に形成されている。各突起片２２は、向きが各突起片１２とは逆になっているが、各突起片１２と同様の形状と大きさとを備えている。
【００２２】
凹部１３には、一方の接合部材６２に設けた凸部６２ａに嵌合する窓部１３ａを備えており、接合部材６２が嵌め込まれる。さらに、側面部２ａに形成された凹部２３は、他方の接合部材６３に設けた凸部６３ａに嵌合する窓部２３ａを備えており、接合部材６３が嵌め込まれる。このように接合部材６２，６３によって一対の挟持片１，２をそれらの凹部１３，２３において挟み込み、かつ、凸部６２ａ，６３ａと窓部１３ａ，２３ａとを嵌合させることにより、モップヘッドＡと柄体Ｃとを確実に連結することができる。
【００２３】
切り欠き１４，２４が形成されていることにより、端面部１ｃ，２ｃはそれぞれ上下方向に側面部１ａ，２ａの半分以下の長さとなっている。このため、モップヘッドＡは、その長手方向の両端が半分以上開口した状態となっており、ここからモップ材Ｂの一部をモップヘッドＡの外部へ出すことができる。
【００２４】
連結部３は、たとえば一体ヒンジであり、一対の挟持片１，２をそれらの上面部１ｂ，２ｂの内端縁において互いに回動可能なように連結している。このため、挟持片１，２を相互に回動させることにより、モップヘッドＡは、図２、図３および図５に示すような異なった状態をとることができる。図５に示すように、挟持片１，２が互いに離れている状態がモップヘッドＡの開状態であり、図２および図３に示すように、挟持片１，２が互いに近接している状態がモップヘッドＡの閉状態である。モップヘッドＡの開状態においては、側面部１ａ，２ａはそれぞれ異なる向きになっており、各連結棒２１の先端部２１ａと各連結孔１１とは嵌合していない。モップヘッドＡの閉状態においては、両側面部１ａ，２ａがほぼ平行であり、各連結棒２１の先端部２１ａと各連結孔１１とは嵌合している。
【００２５】
モップ糸受け部材４は、所定厚みをもってモップヘッドＡの長手方向に延びる棒状糸受け部４１と、この棒状糸受け部４１の両端部に形成されたフック部４２とを備えている。このモップ糸受け部材４の長手方向における長さはモップヘッドＡの長手方向の長さと同じ長さになっている。棒状糸受け部４１の厚みは、モップヘッドＡが閉状態のときの両側面部１ａ，２ａの間隔よりも小さくなっている。この棒状糸受け部４１は、両端部付近では中央部分に比べて上下方向に短くなるように形成されている。フック部４２は、モップヘッドＡの長手方向の両端部付近にある連結棒２１にモップヘッドＡの長手方向の外側から係合可能なように形成されている。すなわち、フック部４２は、棒状糸受け部４１の両端部において、この棒状糸受け部４１の上縁よりも上位において、この棒状糸受け部４１の長手方向内方に湾曲するようにして形成されている。このモップ糸受け部材４は、モップヘッドＡが閉状態のときに、モップヘッドＡの下方から両側面部１ａ，２ａ間に挿し込み、フック部４２を連結棒２１に係合させることによって、挟持片１，２に取り付けることができる。なお、モップ糸受け部材４を挟持片１，２に取り付けたときに、棒状糸受け部４１の下端縁は、側面部１ａ，２ａの下端縁よりも下方に突出している。
【００２６】
モップ材Ｂは、多数本が板状に引き揃えられたモップ糸５１の中間部を結束布５２で結束して構成され、結束布５２で結束された結束部５３を基端部５１ａとして、多数のモップ糸５１が一定長さで延びるような形態をもっている。各モップ糸５１は、細い糸を複数より合わせて作られており、その断面形状がある程度変形可能となっている。結束布５２は、帯状の布材を輪にしたものであり、多数のモップ糸５１を挟み込むとともに、縫い糸によってモップ糸５１を結束布５２に固定してある。
【００２７】
図２に示すように、モップ材Ｂは、結束部５３が上記一対の挟持片１，２間において、各上面部１ｂ，２ｂと連結棒２１との間に入るように、挟持片１，２の間に挟まれてモップヘッドＡに保持される。このとき、各モップ糸５１は、基端部５１ａから延出し、一方の挟持片１の側面部１ａと棒状糸受け部４１との間、他方の挟持片２の側面部２ａと棒状糸受け部４１との間から外部に延出するとともに、切り欠き１４，２４からもモップヘッドＡの外側へ延出する。
【００２８】
次に、モップヘッドＡの作用について説明する。
【００２９】
モップヘッドＡは、まず開状態においてモップ材Ｂの結束部５３を挟持片１，２の間に挟み、その後閉状態とし、さらにモップ糸受け部材４を取り付けることによってモップ材Ｂを保持することができる。モップヘッドＡを閉状態とする際には、挟持片１，２を互いに近づくように回動させ、各連結棒２１の先端部２１ａと各連結孔１１とを嵌合させる。モップ糸受け部材４を取り付ける際には、モップ糸５１をモップヘッドＡの厚み方向に振り分けるようにモップ糸受け部材４をモップヘッドＡの下方から取り付ける。このとき、棒状糸受け部４１が結束布５２の真下にくるようにモップ糸受け部材４を両側面部１ａ，２ａ間に挿し込むのがよい。
【００３０】
このようなモップヘッドＡでは、図２に示すように、下側にモップ糸受け部材４が嵌め込まれているため、モップ糸５１は、モップ糸受け部材４の両側に振り分けられ、かつモップヘッドＡの外方に向けて押圧されるように延出する。モップ糸５１は、両側面部１ａ，２ａとモップ糸受け部材４との間を通るときには圧縮されているが、モップヘッドＡより外に出ると元の太さに戻る。このため、両側面部１ａ，２ａとモップ糸受け部材４との間から、モップヘッドＡの外側に出たモップ糸５１の束は、モップヘッドＡの厚み方向に広がり、両側面部１ａ，２ａの厚み方向の外方にもモップ糸５１が延出する。このため、モップヘッドＡにモップ材Ｂを取り付け、モップヘッドＡを長手方向と直交する方向に動かして拭き掃除を行う際に、両側面部１ａ，２ａよりもモップ材Ｂが先行することになる。したがって、モップヘッドＡの両側面部１ａ，２ａが床、壁あるいは家具などに直接ぶつかる前に、モップ材Ｂのモップ糸５１の一部が床、壁あるいは家具などに接触する。
【００３１】
さらに、モップヘッドＡの長手方向の両端に形成された切り欠き１４，２４からもモップ糸５１がモップヘッドＡの外側に延出している。このため、モップヘッドＡを長手方向と平行な方向に動かして拭き掃除を行う際に、端面部１ｃ，２ｃおよびフック部４２よりも切り欠き１４，２４から延出したモップ糸５１が先行することになる。したがって、端面部１ｃ，２ｃおよびフック部４２が、床、壁あるいは家具などに直接ぶつかる前に、モップ材Ｂのモップ糸５１の一部が床、壁あるいは家具などに接触する。
【００３２】
以上のように、モップヘッドＡを、長手方向に直交する方向、平行な方向、およびそれらを組み合わせたどの方向に向けて動かしても、モップヘッドＡが床、壁あるいは家具などに直接ぶつかる前にモップ材Ｂが床、壁あるいは家具などに接触する。このため、モップヘッドＡは損傷しにくく、同時に床、壁あるいは家具などを傷つけにくくなっている。さらに、モップヘッドＡの使用者は柄体Ｃを通して不測の衝撃を受けたり、不測の衝突音に悩まされることなく、快適に清掃を行うことができる。
【００３３】
さらに、挟持片１，２の下端縁よりもモップ糸受け部材４の下端縁が床側に突出しているため、モップヘッドＡを床に押し付けた場合に、挟持片１，２が床面に当たりにくくなっている。このため、挟持片１，２が損傷しにくくなっている。
【００３４】
さらにまた、両側面部１ａ，２ａの内面側には突起片１２，２２が形成されているので、モップ材ＢはモップヘッドＡの長手方向および上下方向に沿ってずれにくくなっている。このため、モップヘッドＡはモップ材Ｂを強固に保持することができ、モップヘッドＡにモップ材Ｂをつけて拭き掃除を行う際に、モップ材Ｂの脱落やずれを気にする必要がない。
【００３５】
さらにまた、モップ糸受け部材４は、フック部４２を連結部２１に係合することによって、容易に挟持片１，２に取り付けることができるため、既存の商品に対してもモップ糸受け部材４を取り付けて用いることができる。
【００３６】
本発明に係るモップヘッドは、上述した実施形態に限定されるものではない。本発明に係るモップヘッドの各部の具体的な構成は、種々に設計変更自在である。たとえば、上記実施形態においては、モップヘッドＡの挟持片１，２の上面部１ｂ，２ｂが板状に形成されているが、この上面部１ｂ，２ｂが棒状に形成されていても構わない。また、連結孔１１および連結棒１２の数は２以上であればいくつであっても本発明の範囲内である。
【図面の簡単な説明】
【００３７】
【図１】本発明に係るモップヘッドの実施形態の一例を示す正面図である。
【図２】図１のII-II線に沿う断面図である。
【図３】図１のIII-III線に沿う断面図である。
【図４】図１に示すモップヘッドの分解図である。
【図５】図１のモップヘッドのモップ材を取り付ける前の開状態での断面図である。
【図６】従来のモップヘッドの一例を示す正面図である。
【図７】図６のVII-VII線に沿う断面図である。
【符号の説明】
【００３８】
Ａ              モップヘッド
Ｂ              モップ材
Ｃ              柄体
１，２          挟持片
１ａ，２ａ      側面部
１ｂ，２ｂ      上面部
１ｃ，２ｃ      端面部
３              連結部
４              モップ糸受け部材
１１            連結孔
１２，２２      突起片
１３，２３      凹部
１３ａ，２３ａ  窓部
１４，２４      切り欠き
２１            連結棒
２１ａ          先端部
４１            棒状糸受け部
４２            フック部
５１            モップ糸
５１ａ          基端部
５２            結束布
５３            結束部
６１            把持部
６２，６３      接合部材
６２ａ，６３ａ  凸部
【図１】
0005108413.tif 000002
【図２】
0005108413.tif 000003
【図３】
0005108413.tif 000004
【図４】
0005108413.tif 000005
【図５】
0005108413.tif 000006
【図６】
0005108413.tif 000007
【図７】
0005108413.tif 000008